(57)【要約】【課題】ユーザーへの金属アレルギーを回避したイヤリングの提供を目的とする。【解決手段】イヤリング本体と、突起部と、スプリングと、摺動ピンと、耳当て板と、を備えたイヤリングであって、突起部及び耳当て板が樹脂からなる。【選択図】図１
0003174773.tif 000002
【実用新案登録請求の範囲】
【請求項１】
中空かつ円弧状のイヤリング本体と、
前記イヤリング本体の一端に固定された突起部と、
一端が前記突起部に接続され、前記イヤリング本体内に収納されたスプリングと、
一端が前記スプリングの他端に接続され、他端が前記イヤリング本体から露出して前記突起部と接触するように付勢される円弧状の摺動ピンと、
前記摺動ピンの他端に前記突起部と対向するように固定された円板状の耳当て板と、を備えたイヤリングであって、
前記突起部及び前記耳当て板が樹脂からなることを特徴とするイヤリング。
【請求項２】
前記イヤリング本体に固定された連結リングを備えたことを特徴とする請求項１記載のイヤリング。
【請求項３】
前記耳当て板に前記突起部の外形とほぼ同一の形状の凹部が形成されていることを特徴とする請求項１記載のイヤリング。
【考案の詳細な説明】
【技術分野】
【０００１】
本考案は、イヤリングに関する。
【背景技術】
【０００２】
装身具の一種にイヤリングがある。イヤリングにはネジ式（例えば、特許文献１参照）、クリップ式、リング式（例えば、特許文献２参照））、ネジクリップ式、及びイヤクリップ式（リング式とクリップ式とが合体したもの）の５種類のタイプがある。
【０００３】
特許文献１に記載の考案は、イヤリングに関するものであり、具体的には、装飾体と、固定金具とからなり、装飾体をセラミック製とするイヤリングにおいて、下記の(a)ないし(b)の構成を有するものである。
（ａ）装飾体は、粘土でもって中央凸の立体形状に成形されて焼成されている。
（ｂ）装飾体は、表面に釉薬を塗布され、釉薬を自重で外周部分に流下させることによって、中心部分と外周部分とが次第に異色に着色されている光沢層が設けられている。
【０００４】
また、特許文献２に記載の考案は、イヤリングに関するものであり、具体的には、耳たぶが挿入される開口部を上方に形成したＵ字金具と、このＵ字金具に係着される装飾体からなり、Ｕ字金具の一方の腕の上端に球体を固定し、他方の腕の上端に腕に巻装されたスプリングを介して可動球体を腕に沿い摺動自在に取付け、この可動球体と固定球体とで耳たぶを挾持するように構成したイヤリングに於いて、前記Ｕ字金具は弾性を有する金属線で形成し、前記スプリングの自由状態においては前記球体と可動球体との間隔は耳たぶの厚みよりわずかに狭く形成すると共に可動球体は球体よりも若干低位置に配置したものである。
【先行技術文献】
【特許文献】
【０００５】
【特許文献１】実公平６−９７０号公報
【特許文献２】実公平７−１１６２４号公報
【考案の概要】
【考案が解決しようとする課題】
【０００６】
ところで、上述した従来技術においては、ユーザーの耳に直接接触する部分は鉄等の金属で形成されている。
このため、金属アレルギーによるユーザーへの不都合が懸念される。
そこで、本考案の目的は、ユーザーへの金属アレルギーを回避したイヤリングを提供することにある。
【課題を解決するための手段】
【０００７】
かかる目的を達成するために、本考案にかかるイヤリングは、中空かつ円弧状のイヤリング本体と、前記イヤリング本体の一端に固定された突起部と、一端が前記突起部に接続され、前記イヤリング本体内に収納されたスプリングと、一端が前記スプリングの他端に接続され、他端が前記イヤリング本体から露出して前記突起部と接触するように付勢される円弧状の摺動ピンと、前記摺動ピンの他端に前記突起部と対向するように固定された円板状の耳当て板と、を備えたイヤリングであって、前記突起部及び前記耳当て板が樹脂からなることを特徴とする。
【考案の効果】
【０００８】
本考案によれば、ユーザーへの金属アレルギーを回避したイヤリングの提供が可能となる。
【図面の簡単な説明】
【０００９】
【図１】（ａ）は、本考案の一実施形態に係るイヤリングの平面図であり、（ｂ）は、（ａ）の矢印Ｐ１方向の矢視面図であり、（ｃ）は、（ａ）のＰ２方向の矢視図である。
【図２】図１に示したイヤリングの外観斜視図である。
【図３】本考案の他の実施形態に係る外観斜視図である。
【図４】本考案の他の実施形態に係る外観斜視図である。
【図５】図３に示したイヤリングを装着した状態を示す図である。
【考案を実施するための形態】
【００１０】
本考案の実施の形態について図面を参照して説明する。
図１（ａ）は、本考案の一実施形態に係るイヤリングの平面図であり、図１（ｂ）は、図１（ａ）の矢印Ｐ１方向の矢視面図であり、図１（ｃ）は、図１（ａ）のＰ２方向の矢視図である。
【００１１】
イヤリング１０−１は、イヤリング本体１３と、突起部１５と、スプリング１４と、摺動ピン１２と、耳当て板１１と、連結リング１６と、を備えたイヤリングであって、耳当て板１１、及び突起部１５が樹脂からなっている。
【００１２】
スプリング１４は、未使用時は耳当て板１１を突起部１５に押しつけるように付勢しており、破線Ｌ１で示す位置にあるが、図１では耳当て板１１と突起部１５との間を広げた状態を示している。
【００１３】
イヤリング本体１３は、中空かつ円弧状（例えば、直径１１〜１５ｍｍ程度）に形成されており、例えば、金属（銅もしくは鉄）からなる（樹脂でもよい）。
【００１４】
突起部１５は、ほぼ半球形状に形成されており、樹脂からなり、イヤリング本体１３の一端（図１（ａ）では左下端）に固定されている。
【００１５】
スプリング１４は、一端が突起部１５に接続され、イヤリング本体１３内に収納されている。
【００１６】
摺動ピン１２は、円弧状に形成されており、イヤリング本体１３内を摺動自在に配置されている。摺動ピン１２は、一端がスプリング１４の他端に接続され、他端がイヤリング本体１３から露出して突起部１５と接触するように付勢される。摺動ピン１２の周方向の長さは、イヤリング本体１０の周方向の長さより短く、かつイヤリング本体１３から抜けない程度の長さに設定されている。
【００１７】
耳当て板１１は、円板状に形成されており、樹脂からなり、摺動ピン１２の他端（図１（ａ）の左上端）に固定されている。耳当て板１１には、突起部１５の外形とほぼ同一の形状の凹部が形成されている。この凹部は、イヤリング１０−１を使用しないときに、耳当て板１１と突起部１５と噛み合うことで摺動ピン１２の変形を防止する効果を有する。また、イヤリング１０−１を使用するときに、耳への食いつき効果があり、落下防止の効果を有する。
【００１８】
ここで、上述した耳あて板１１及び突起部１５に用いられる樹脂としては、ポリカーボネートが挙げられるが、食器や容器に用いられる樹脂であってもよい。すなわち、ポリエチレン、ポリプロピレン、ポリエチレンテレフタレート、ポリスチレン、エポキシ樹脂、フェノール樹脂、ユリア樹脂、メラミン樹脂、ＡＢＳ樹脂（アクリロニトリル（Ａｃｒｙｌｏｎｉｔｒｉｌｅ）、ブタジエン（Ｂｕｔａｄｉｅｎ）、スチレン（Ｓｔｙｒｅｎｅ）共重合合成樹脂）、ＡＳ樹脂（アクリロニトリル（Ａｃｒｙｌｏｎｉｔｒｉｌｅ）、スチレン（Ｓｔｙｒｅｎｅ）のコポリマー（共重合化合物））、ポリ塩化ビニル、ポリ塩化ビニリデンが挙げられる。
【００１９】
連結リング１６は、イヤリング本体１３に装飾品を吊り下げるための部材であり、イヤリング本体１３が金属からなる場合にはロウ付け可能な金属（例えば、銅、鉄）からなり、イヤリング本体１３が樹脂の場合には樹脂（例えば、ポリカーボネート）からなる。
【００２０】
耳当て板１１及び突起部１５は、使用時にユーザーに耳に直接触れるが、金属アレルギーを引き起こすことがない。このため、ユーザーは、安心してイヤリングを使用することができる。
【００２１】
図３は、本考案の他の実施形態に係る外観斜視図である。
図３に示した実施の形態の図１に示した実施の形態との相違点は、イヤリング１０−１の連結リング１６に装飾品２０を吊り下げた点である。
装飾品２０としては、吊り下げたときにユーザーに負担がかからない程度の質量（例えば、数グラム）や大きさであればよい。形状も図に示した物に限定されるものではない。
このようにイヤリング１０−１に装飾品２０を吊り下げても図１と同様の効果を奏する。
【００２２】
図４は、本考案の他の実施形態に係る外観斜視図である。
図４に示した実施の形態の図１に示した実施の形態との相違点は、連結リング１６が無い点である。
このイヤリング１０−２においても図１に示したイヤリング１０−１と同様の効果が得られる。
【００２３】
図５は、図３に示したイヤリングを装着した状態を示す図である。
図３に示した、装飾品２０を吊り下げたイヤリング１０−１がユーザーの耳に装着されている。このように使用することでユーザーは金属アレルギーを気にすることなく安心して使用することができる。
【００２４】
以上述べた実施の形態は、好適な具体例であり、技術的に好ましい種々の限定を付している場合もあるが、本考案の技術範囲は、特に本考案を限定する記載がない限り、これらの態様に限定されるものではない。また、上記実施形態における構成要素は、適宜、既存の構成要素等との置き換えが可能であり、かつ、他の既存の構成要素との組合せを含む様々なバリエーションが可能である。したがって、上記実施形態の記載をもって、実用新案登録請求の範囲に記載された考案の内容を限定するものではない。
【符号の説明】
【００２５】
１０−１、１０−２  イヤリング
１１    耳当て板
１２    摺動ピン
１３    イヤリング本体
１４    スプリング
１５    突起部
１６    連結リング
２０    装飾品
【図１】
0003174773.tif 000003
【図２】
0003174773.tif 000004
【図３】
0003174773.tif 000005
【図４】
0003174773.tif 000006
【図５】
0003174773.tif 000007